【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
原稿を読み取る画像処理装置であって、
原稿を読み取る際の当該原稿の傾きを検出する検出部と、
原稿を分担して読み取るための複数のセンサユニットで構成させる画像読取部と、
前記センサユニットそれぞれから得られた画像データを格納するためのメモリを有し、当該メモリに格納された画像データから印刷のための画像データを生成するための、複数のプロセッサと、
該複数のプロセッサ間で通信を行うため、それらを接続する伝送バスとを有し、
前記複数のプロセッサのそれぞれは、
前記検出部で検出した原稿の傾き角度に応じて、自身が分担すべき画像データに対して不足する領域を算出する算出手段と、
該算出手段で算出した不足する領域の画像データを所有するプロセッサに対して、前記伝送バスを介して要求することで取得する取得手段と
を有することを特徴とする画像処理装置。
【請求項２】
前記プロセッサのそれぞれは、前記取得手段によって取得した不足する領域の画像データと、自身に対応するセンサユニットで得られた画像データを繋ぎ合わせ、前記検出部で検出した傾きを補正する傾き補正手段を更に有することを特徴とする請求項１に記載の画像処理装置。
【請求項３】
前記複数のセンサユニットは、互いに重複する領域を読み取るように配置されていることを特徴とする請求項１又は２に記載の画像処理装置。
【請求項４】
記録媒体上に互いに分担して画像を印刷するための複数の印刷ヘッドで構成される印刷ヘッド部とを有し、
前記プロセッサそれぞれは、少なくとも１つの印刷ヘッドに接続され、前記傾き補正手段で傾き補正後の画像データから、接続された印刷ヘッドで印刷するための画像処理を行うことを特徴とする請求項２又は３に記載の画像処理装置。
【請求項５】
更に、原稿の位置とサイズを検出する第２の検出部を有し、
該第２の検出部で検出した位置とサイズに基づき、印刷に利用する印刷ヘッドに接続されたプロセッサが有する前記取得手段は、自身が印刷するために不足する領域の画像データを所有するプロセッサに対して当該不足する領域の画像データの転送を要求する
ことを特徴とする請求項４に記載の画像処理装置。
【請求項６】
前記複数の印刷ヘッドは、互いに重複する領域を印刷するように配置されていることを特徴とする請求項４又は５に記載の画像処理装置。
【請求項７】
前記取得手段は、前記不足する領域に外接する矩形領域の画像データを要求することを特徴とする請求項１乃至６のいずれか１項に記載の画像処理装置。
【請求項８】
前記第２の検出部は、原稿を読み取る際の原稿の相対的に移動する際の左右端を検出したセンサユニットによる検出の位置に基づき、原稿の位置とサイズを検出することを特徴とする請求項５に記載の画像処理装置。
【請求項９】
前記検出部は、発光部と受光部の組のセンサが複数並んだ構造を有し、原稿を読み取る際の原稿の相対的に移動する際の端部の各センサによる遮光の時間差から原稿の傾きを検出することを特徴とする請求項１乃至８のいずれか１項に記載の画像処理装置。
【請求項１０】
前記複数のセンサユニットと前記複数のプロセッサとの間に介在し、前記複数のセンサユニットの各々と前記複数のプロセッサの各々との接続を切り換える切替部とを有し、
前記切替部は、前記複数のプロセッサにおける予め設定された１つのプロセッサからの指示に従って接続を切り換えることを特徴とする請求項１乃至９のいずれか１項に記載の画像処理装置。
【請求項１１】
原稿を読み取る際の当該原稿の傾きを検出する検出部と、
原稿を分担して読み取るための複数のセンサユニットで構成させる画像読取部と、
前記センサユニットそれぞれから得られた画像データを格納するためのメモリを有し、当該メモリに格納された画像データから印刷のための画像データを生成するための、複数のプロセッサと、
該複数のプロセッサ間で通信を行うため、それらを接続する伝送バスとを有する画像処理装置の制御方法であって、
前記複数のプロセッサのそれぞれは、
算出手段が、前記検出部で検出した原稿の傾き角度に応じて、自身が分担すべき画像データに対する不足領域を算出する算出工程と、
取得手段が、前記算出工程で算出した不足領域の画像データを所有するプロセッサに対して、前記伝送バスを介して要求することで取得する取得工程と
を有することを特徴とする画像処理装置の制御方法。
【請求項１２】
原稿を読み取る画像処理装置であって、
原稿を分担して読み取るための複数のセンサユニットで構成させる画像読取部と、
前記センサユニットそれぞれから得られた画像データを格納するためのメモリを有し、当該メモリに格納された画像データから印刷のための画像データを生成するための、複数のプロセッサと、
前記複数のセンサユニットと前記複数のプロセッサとの間に介在し、前記複数のプロセッサにおける所定のプロセッサの制御の下で、前記複数のセンサユニットの各々と前記複数のプロセッサの各々との接続を切り換える切替部と、
該複数のプロセッサ間で通信を行うため、それらを接続する伝送バスとを有し、
前記所定のプロセッサは、ユーザから指示されたモードに従って、前記複数のセンサユニットと前記複数のプロセッサとの接続の関係を決定し、当該決定に応じて前記切替部を制御し、
前記複数のプロセッサの各々は、自身が担当する印刷領域に対する不足領域の画像データを、該当する不足領域の画像データを有する他のプロセッサから前記伝送バスを介して受信し、印刷処理を実行する
ことを特徴とする画像処理装置。
【請求項１３】
前記モードは、等倍複写モード、拡大複写モード、縮小複写モード、回転複写モードのいずれかであって、
各モードごとに、センサユニットとプロセッサとの接続の関係を示すテーブルを格納する記憶手段を更に有することを特徴とする請求項１２に記載の画像処理装置。
【請求項１４】
原稿を分担して読み取るための複数のセンサユニットで構成させる画像読取部と、
前記センサユニットそれぞれから得られた画像データを格納するためのメモリを有し、当該メモリに格納された画像データから印刷のための画像データを生成するための、複数のプロセッサと、
前記複数のセンサユニットと前記複数のプロセッサとの間に介在し、前記複数のプロセッサにおける所定のプロセッサの制御の下で、前記複数のセンサユニットの各々と前記複数のプロセッサの各々との接続を切り換える切替部と、
該複数のプロセッサ間で通信を行うため、それらを接続する伝送バスとを有する画像処理装置の制御方法であって、
前記所定のプロセッサは、ユーザから指示されたモードに従って、前記複数のセンサユニットと前記複数のプロセッサとの接続の関係を決定し、当該決定に応じて前記切替部を制御する工程を有し、
前記複数のプロセッサの各々は、自身が担当する印刷領域に対する不足領域の画像データを、該当する不足領域の画像データを有する他のプロセッサから前記伝送バスを介して受信し、印刷処理を実行する工程と
を有することを特徴とする画像処理装置の制御方法。
【手続補正２】
【補正対象書類名】明細書
【補正対象項目名】００１１
【補正方法】変更
【補正の内容】
【００１１】
また、他の発明の画像処理装置は、原稿を読み取る画像処理装置であって、
原稿を分担して読み取るための複数のセンサユニットで構成させる画像読取部と、
前記センサユニットそれぞれから得られた画像データを格納するためのメモリを有し、当該メモリに格納された画像データから印刷のための画像データを生成するための、複数のプロセッサと、
前記複数のセンサユニットと前記複数のプロセッサとの間に介在し、前記複数のプロセッサにおける所定のプロセッサの制御の下で、前記複数のセンサユニットの各々と前記複数のプロセッサの各々との接続を切り換える切替部と、
該複数のプロセッサ間で通信を行うため、それらを接続する伝送バスとを有し、
前記所定のプロセッサは、ユーザから指示されたモードに従って、前記複数のセンサユニットと前記複数のプロセッサとの接続の関係を決定し、当該決定に応じて前記切替部を制御し、
前記複数のプロセッサの各々は、自身が担当する印刷領域に対する不足領域の画像データを、該当する不足領域の画像データを有する他のプロセッサから前記伝送バスを介して受信し、印刷処理を実行することを特徴とする。